(57)【要約】【課題】回収処理に起因する有高と実際の現金の不一致の発生を抑制する。【解決手段】現金処理装置であって、現金を収納する回収カセットと、前記回収カセットを、前記現金を収納していない他の回収カセットに交換するための回収処理において、前記現金処理装置の有高の更新を制御する制御部と、を備え、前記制御部は、前記回収カセットが前記現金処理装置から外された後、前記現金処理装置にセットされた前記他の回収カセットの正常動作が確認されることを待たずに、前記現金処理装置の有高を更新する、現金処理装置。【選択図】図１
2018180782.tif 000002
【特許請求の範囲】
【請求項１】
現金処理装置であって、
現金を収納する回収カセットと、
前記回収カセットを、前記現金を収納していない他の回収カセットに交換するための回収処理において、前記現金処理装置の有高の更新を制御する制御部と、
を備え、
前記制御部は、前記回収カセットが前記現金処理装置から外された後、前記現金処理装置にセットされた前記他の回収カセットの正常動作が確認されることを待たずに、前記現金処理装置の有高を更新する、現金処理装置。
【請求項２】
前記制御部は、前記回収カセットが前記現金処理装置から外されたことに基づき、前記他の回収カセットが前記現金処理装置にセットされる前に、前記現金処理装置の有高を更新する、請求項１に記載の現金処理装置。
【請求項３】
前記現金処理装置は扉部を備え、前記扉部が開かれている場合に前記回収カセットの操作が可能であり、
前記制御部は、前記他の回収カセットが前記現金処理装置にセットされて前記扉部が閉められたことに基づき、前記現金処理装置の有高を更新する、請求項１に記載の現金処理装置。
【請求項４】
前記制御部は、前記現金処理装置にセットされた前記他の回収カセットが空状態であることが確認されたことに基づき、前記現金処理装置の有高を更新する、請求項１に記載の現金処理装置。
【請求項５】
前記制御部は、前記他の回収カセットの正常動作の確認の際に障害が生じ、障害復旧操作が所定回数に達しても前記障害が解消しない場合には、前記他の回収カセットが空状態であることが確認されていることに基づき、前記現金処理装置の有高を更新する、請求項４に記載の現金処理装置。
【請求項６】
前記制御部は、前記有高の更新と併せて、前記回収処理の内容を示す回収情報の出力の制御を行う、請求項１〜５のいずれか一項に記載の現金処理装置。
【請求項７】
前記回収カセットは、紙幣を収納する紙幣回収カセット、または硬貨を収納する硬貨回収カセットを含む、請求項１〜６のいずれか一項に記載の現金処理装置。
【請求項８】
前記現金処理装置は、入金処理において現金が追加され、出金処理において現金が繰り出される収納部をさらに備え、
前記制御部は、精算集計処理において、前記収納部に収納された現金を前記回収カセットに移動させる、請求項１〜７のいずれか一項に記載の現金処理装置。
【請求項９】
前記制御部は、前記回収カセットを前記現金処理装置から外して、前記回収カセットに収納された現金を抜き取った後に、前記回収カセットを前記現金処理装置に再度セットする他の回収処理において、前記回収処理と異なるタイミングで前記現金処理装置の有高を更新する、請求項１〜８のいずれか一項に記載の現金処理装置。
【発明の詳細な説明】
【技術分野】
【０００１】
本発明は、現金処理装置に関する。
【背景技術】
【０００２】
近年、小売店やスーパーマーケットなどの流通施設および商業施設において、売上金を入金し、釣銭準備金を出金する現金処理装置が設置されている。現金処理装置は、回収される現金を収納する回収カセットを備え、メニュー画面で「売上回収」が選択されると、装置の扉を解錠する。そして、回収カセットが現金処理装置から取り出され、空の回収カセットが現金処理装置にセットされることで、「売上回収」が終了する。
【０００３】
上記の「売上回収」の方法には、店舗のオペレータが売上金を回収する「店舗運用」、および警備会社の警送隊員が売上金を回収する「警送運用」がある。
【０００４】
「店舗運用」では、店舗のオペレータは、現金処理装置から回収カセットを取り出し、当該回収カセットから現金を抜取り、当該回収カセットを現金処理装置に再セットする。オペレータは、回収カセットから抜き取った現金を売上金として金融機関等に入金する。
【０００５】
「警送運用」では、警送隊員は、現金処理装置から回収カセットを取り出し、警送隊員が持ち込んだ空の回収カセットを現金処理装置にセットする。警送隊員は、現金処理装置から取り出された回収カセットを警備会社の現金センター等に持ち帰り、警備会社が、当該回収カセットに収納されている現金を売上金として金融機関などに入金する。「警送運用」では、店舗のオペレータの作業が軽減され、また、店舗のオペレータが多額の現金に触れずに済む。このため、店舗が警備会社と契約し、「警送運用」に売上金を回収することが多い。
【先行技術文献】
【特許文献】
【０００６】
【特許文献１】特開２００６−３３８２９０号公報
【発明の概要】
【発明が解決しようとする課題】
【０００７】
上記の「警送運用」では、空の回収カセットがセットされたこと、および、当該回収カセットの正常動作が確認されたこと、により、レシートが印字され、現金処理装置の有高が更新されていた。このため、例えば現金処理装置にセットされた回収カセットの動作確認において障害が発生した場合、売上金を収納する回収カセットは現金処理装置の外にあるが、現金処理装置の有高は更新されない。ここで、警送隊員が障害の発生に気付き、回収カセットを予備の回収カセットに交換すれば、「売上回収」は正常に終了する。
【０００８】
しかし、警送隊員が障害の発生に気付かない場合、または、警送隊員が障害の発生に気付いても、予備の回収カセットが無く、時間的な制約から保守員の来店を待つことも難しいために、警送隊員が次の店舗に行ってしまう場合がある。この場合、現金処理装置から売上金が回収されたことになっていないため、現金処理装置の有高は更新されていない。結果、次回の「売上回収」の実行時に、レシートの売上金額と回収金額に不一致が生じてしまう。
【０００９】
そこで、本発明は、上記問題に鑑みてなされたものであり、本発明の目的とするところは、回収処理に起因する有高と実際の現金の不一致の発生を抑制することが可能な、新規かつ改良された現金処理装置を提供することにある。
【課題を解決するための手段】
【００１０】
上記課題を解決するために、本発明のある観点によれば、現金処理装置であって、現金を収納する回収カセットと、前記回収カセットを、前記現金を収納していない他の回収カセットに交換するための回収処理において、前記現金処理装置の有高の更新を制御する制御部と、を備え、前記制御部は、前記回収カセットが前記現金処理装置から外された後、前記現金処理装置にセットされた前記他の回収カセットの正常動作が確認されることを待たずに、前記現金処理装置の有高を更新する、現金処理装置が提供される。
【００１１】
前記制御部は、前記回収カセットが前記現金処理装置から外されたことに基づき、前記他の回収カセットが前記現金処理装置にセットされる前に、前記現金処理装置の有高を更新してもよい。
【００１２】
前記現金処理装置は扉部を備え、前記扉部が開かれている場合に前記回収カセットの操作が可能であり、前記制御部は、前記他の回収カセットが前記現金処理装置にセットされて前記扉部が閉められたことに基づき、前記現金処理装置の有高を更新してもよい。
【００１３】
前記制御部は、前記現金処理装置にセットされた前記他の回収カセットが空状態であることが確認されたことに基づき、前記現金処理装置の有高を更新してもよい。
【００１４】
前記制御部は、前記他の回収カセットの正常動作の確認の際に障害が生じ、障害復旧操作が所定回数に達しても前記障害が解消しない場合には、前記他の回収カセットが空状態であることが確認されていることに基づき、前記現金処理装置の有高を更新してもよい。
【００１５】
前記制御部は、前記有高の更新と併せて、前記回収処理の内容を示す回収情報の出力の制御を行ってもよい。
【００１６】
前記回収カセットは、紙幣を収納する紙幣回収カセット、または硬貨を収納する硬貨回収カセットを含んでもよい。
【００１７】
前記現金処理装置は、入金処理において現金が追加され、出金処理において現金が繰り出される収納部をさらに備え、前記制御部は、精算集計処理において、前記収納部に収納された現金を前記回収カセットに移動させてもよい。
【００１８】
前記制御部は、前記回収カセットを前記現金処理装置から外して、前記回収カセットに収納された現金を抜き取った後に、前記回収カセットを前記現金処理装置に再度セットする他の回収処理において、前記回収処理と異なるタイミングで前記現金処理装置の有高を更新してもよい。
【発明の効果】
【００１９】
以上説明したように本発明によれば、回収処理に起因する有高と実際の現金の不一致の発生を抑制することが可能である。
【図面の簡単な説明】
【００２０】
【図１】本発明の実施形態による現金処理装置の構成を示す説明図である。
【図２】操作表示部に表示されるメニュー画面の具体例を示す説明図である。
【図３】比較例による売上回収の動作を示すフローチャートである。
【図４】第１の動作例による売上回収の動作を示すフローチャートである。
【図５】レシートの具体例を示す説明図である。
【図６】第２の動作例による売上回収の動作を示すフローチャートである。
【図７】第３の動作例による売上回収の動作を示すフローチャートである。
【図８】第４の動作例による売上回収の動作を示すフローチャートである。
【図９】障害画面の具体例を示す説明図である。
【発明を実施するための形態】
【００２１】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２２】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００２３】
＜０．導入＞
本発明の実施形態は、小売店やスーパーマーケットなどの流通施設および商業施設に設置される現金処理装置に適用される。本実施形態による現金処理装置は、例えば、レジで用いられる釣銭準備金として紙幣および硬貨を出金する釣銭出金、およびレジから回収された紙幣および硬貨を入金する売上入金などの処理を実行可能である。以下、このような本発明の実施形態による現金処理装置の構成および動作について順次詳細に説明する。
【００２４】
＜１．現金処理装置の構成＞
図１は、本発明の実施形態による現金処理装置１の構成を示す説明図である。図１に示したように、本実施形態による現金処理装置１は、紙幣投入口１０１、紙幣一時保留部１０３、紙幣鑑別部１０５、万券カセット１０７、五千券カセット１０９、千券カセット１１１、回収カセット１１３およびリジェクト部１１５を有する紙幣部と、硬貨投入口１１７、硬貨鑑別部１１９、硬貨一時保留部１２１、硬貨返却部１２３、出金ホッパ１２５、硬貨回収庫１２７および硬貨出金箱１２９を有する硬貨部と、カードリーダ部１３１と、操作表示部１３３と、レシートプリンタ１３５と、制御部１５０と、記憶部１６０と、を備える。紙幣部には紙幣扉が設けられており、紙幣扉が開いている場合に紙幣部の内部への操作が可能となる。同様に、硬貨部には硬貨扉が設けられており、硬貨扉が開いている場合に硬貨部の内部への操作が可能となる。
【００２５】
紙幣投入口１０１は、現金処理装置１に入金される紙幣が投入される投入口である。また、紙幣投入口１０１は、紙幣の出金口でもあり、紙幣投入口１０１から売上入金の取り消しにより返却される紙幣、出金される紙幣、および紙幣鑑別部１０５により正常ではないとしてリジェクトされた紙幣が紙幣投入口１０１から出金される。
【００２６】
紙幣一時保留部１０３には、入金計数時および売上金作成時に、一時的に紙幣が集積される。また、紙幣鑑別部１０５は、投入された紙幣が正常な紙幣であるか否かを各種センサによって鑑別する。
【００２７】
万券カセット１０７、五千券カセット１０９、および千券カセット１１１は、それぞれ万券、五千券、および千券の紙幣を収納する収納部である。具体的には、万券カセット１０７、五千券カセット１０９、および千券カセット１１１（各紙幣カセット）には、バラ状態の各種紙幣が釣銭準備金として収納される。また、各紙幣カセットには、売上として入金され、紙幣鑑別部１０５で正常と鑑別された各種紙幣が収納される。さらに、釣銭出金時には、各紙幣カセットから各種紙幣が出金される。
【００２８】
回収カセット１１３は、売上回収のためのカセットである。具体的には、回収カセット１１３には、精算集計時に、各紙幣カセットから移動された紙幣が売上金として収納される。
【００２９】
リジェクト部１１５には、紙幣鑑別部１０５によって正常な紙幣ではないと鑑別された紙幣、すなわちリジェクトされた紙幣が集積される。具体的には、リジェクト部１１５には、売上入金時に紙幣一時保留部１０３から各紙幣カセットに紙幣を搬送する過程で紙幣鑑別部１０５によってリジェクトされた紙幣、各紙幣カセットから釣銭出金を行う過程で紙幣鑑別部１０５によってリジェクトされた紙幣、精算集計時に各紙幣カセットから回収カセット１１３に紙幣を搬送する過程で紙幣鑑別部１０５によってリジェクトされた紙幣などが集積される。
【００３０】
硬貨投入口１１７は、硬貨が投入される開口である。また、硬貨鑑別部１１９は、投入された硬貨が正常な硬貨であるか否かを各種センサによって鑑別する。さらに、硬貨一時保留部１２１には、入金計数時および精算集計時に、一時的に硬貨が集積される。
【００３１】
硬貨返却部１２３は、硬貨の返却口であり、計数が行われた硬貨、売上入金の取り消しがなされた硬貨が硬貨返却部１２３から返却される。また、出金ホッパ１２５（収納部）には、売上入金によって投入された各種硬貨が収納されており、釣銭出金時には出金ホッパ１２５から各種硬貨が出金される。
【００３２】
硬貨回収庫１２７は、売上回収のための回収カセットの一例である。具体的には、硬貨回収庫１２７には、精算集計時に出金ホッパ１２５から移動された硬貨が売上金として収納される。また、硬貨出金箱１２９は、釣銭出金時に硬貨を出金するための硬貨出金口である。
【００３３】
カードリーダ部１３１は、レジカードやＩＤカード等に書き込まれた情報を読み取る。レジカードやＩＤカード等に書き込まれる情報として、例えば、カードを利用する操作者を識別するための情報、および許可されている取引の種類を示す情報が挙げられる。このカードリーダ部１３１から読取られる情報が事前に登録されている情報と一致する場合、現金処理装置１の利用が制御部１５０により許可される。なお、現金処理装置１は、カードリーダ部１３１に加えて、あるいはカードリーダ部１３１に代えて、指紋認識を行う指紋認識部、または暗証番号の入力を受け付ける暗証番号入力部を有してもよい。
【００３４】
操作表示部１３３は、操作者による操作を検出する操作部としての機能、および各種画面を表示する表示部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えばタッチパネルにより実現される。なお、表示部および操作部の機能は分離して構成されてもよい。
【００３５】
レシートプリンタ１３５は、現金処理装置１によって行われた処理の内容を示す情報が印字されたレシートを排出する。例えば、売上回収が行われた場合、レシートプリンタ１３５は、売上回収の内容を示す回収情報が印字されたレシートを排出する。
【００３６】
制御部１５０は、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶するＲＯＭ（Ｒｅａｄ  Ｏｎｌｙ  Ｍｅｍｏｒｙ）、ＣＰＵの実行において使用するプログラムや、その実行において適宜変化するパラメータ等を一時記憶するＲＡＭ（Ｒａｎｄｏｍ  Ａｃｃｅｓｓ  Ｍｅｍｏｒｙ）、データ等を記憶するＨＤＤ（Ｈａｒｄ  Ｄｉｓｋ  Ｄｒｉｖｅ）装置などのデータ格納用記憶装置等で構成される。
【００３７】
この制御部１５０は、現金処理装置１の動作全般を制御する。例えば、制御部１５０は、各紙幣カセット、出金ホッパ１２５および硬貨回収庫１２７などに収納されている現金の枚数を記憶部１６０に記憶させる管理部としての機能を包含する。また、制御部１５０は、制御部１５０は、レジカードやＩＤカードによる認証が終了すると、操作者が所望の処理を選択するためのメニュー画面を操作表示部１３３に表示させ、メニュー画面において操作者により選択された処理を制御する。以下、図２を参照してメニュー画面の具体例を説明した上で、制御部１５０の制御により実現される各処理の概要を説明する
【００３８】
＜２．現金処理装置が行う各種処理＞
図２は、操作表示部１３３に表示されるメニュー画面４０の具体例を示す説明図である。図２に示したように、メニュー画面４０は、「０１：釣銭出金」ボタン、「０２：売上入金」ボタン、「０３：計数」ボタン、「０４：補充」ボタン、「０５：抜取り」ボタン、「０６：精算集計」ボタン、「０７：売上回収」ボタン、「０８：精査」ボタンなど、現金処理装置１が実行可能な処理と関連付けられた選択ボタンを含む。操作者は、このメニュー画面４０からの選択ボタンの選択により、所望の処理を現金処理装置１に実行させることが可能である。
【００３９】
（釣銭出金）
釣銭出金は、各紙幣カセットおよび出金ホッパ１２５から釣銭準備金を出金するための処理である。例えば、メニュー画面４０において操作者により「０１：釣銭出金」ボタンが選択されると、制御部１５０は、出金方法の選択画面を操作表示部１３３に表示させる。操作者は、当該出金方法の選択画面において、金額指定出金、金種枚数指定出金およびパターン出金を選択することができる。
【００４０】
金額指定出金においては、操作者により出金金額が指定され、制御部１５０は、事前に用意されているルールに従って各金種の出金枚数を決定してもよい。例えば、上記ルールは、各金種の出金枚数の比率を規定するものであってもよいし、各金種の出金枚数の最低数を規定するものであってもよい。
【００４１】
金種枚数指定出金においては、操作者により金種ごとの出金枚数が指定され、制御部１５０は、操作者からの指定に従って各金種の出金を制御する。パターン出金においては、制御部１５０は、１または２以上の金種ごとの出金枚数を示す事前登録された出金パターンに従って出金を制御する。
【００４２】
いずれの出金方法においても、各紙幣カセットから紙幣が排出され、当該紙幣が紙幣投入口１０１に集積される。また、出金ホッパ１２５から硬貨が繰り出され、当該硬貨が硬貨出金箱１２９に搬送される。
【００４３】
（売上入金）
売上入金は、レジから回収された紙幣および硬貨を紙幣カセットおよび出金ホッパ１２５に収納するための処理である。例えば、メニュー画面４０において操作者により「０２：売上入金」ボタンが選択されると、制御部１５０は、紙幣投入口１０１および硬貨投入口１１７のシャッタを開放し、紙幣および硬貨の投入を誘導する入金誘導画面を操作表示部１３３に表示させる。その後、制御部１５０は、紙幣投入口１０１および硬貨投入口１１７から投入された紙幣および硬貨を計数する。ここで、紙幣鑑別部１０５により正常と判断された紙幣は紙幣一時保留部１０３に集積され、硬貨鑑別部１１９により正常と判断された硬貨は硬貨一時保留部１２１に集積される。また、紙幣鑑別部１０５によりリジェクトされた紙幣は紙幣投入口１０１から返却され、硬貨鑑別部１１９によりリジェクトされた硬貨は硬貨返却部１２３から返却される。
【００４４】
さらに、制御部１５０は、計数により得られた入金合計金額を操作表示部１３３に表示させる。そして、操作者により入金合計金額の確認操作が行われると、紙幣一時保留部１０３から紙幣カセットに紙幣が搬送され、紙幣カセットが当該紙幣を収納する。同様に、硬貨一時保留部１２１から出金ホッパ１２５に硬貨が搬送され、出金ホッパ１２５が当該硬貨を収納する。なお、紙幣および硬貨の収納時点で売上（入金合計が出金合計を上回る金額）が発生している場合、高額な紙幣が優先的に回収カセット１１３に収納される。
【００４５】
（計数）
計数は、投入された紙幣および硬貨の計数を行った後、紙幣および硬貨を返却する処理である。例えば、メニュー画面４０において操作者により「０３：計数」ボタンが選択されると、制御部１５０は、紙幣投入口１０１および硬貨投入口１１７のシャッタを開放し、紙幣および硬貨の投入を誘導する入金誘導画面を操作表示部１３３に表示させる。その後、制御部１５０は、紙幣投入口１０１および硬貨投入口１１７から投入された紙幣および硬貨を計数する。ここで、紙幣鑑別部１０５により正常と判断された紙幣は紙幣一時保留部１０３に集積され、硬貨鑑別部１１９により正常と判断された硬貨は硬貨一時保留部１２１に集積される。また、紙幣鑑別部１０５によりリジェクトされた紙幣は紙幣投入口１０１から返却され、硬貨鑑別部１１９によりリジェクトされた硬貨は硬貨返却部１２３から返却される。
【００４６】
さらに、制御部１５０は、計数により得られた入金合計金額を操作表示部１３３に表示させる。そして、操作者により入金合計金額の確認操作が行われると、紙幣一時保留部１０３の紙幣が紙幣投入口１０１から返却され、硬貨一時保留部１２１の硬貨が硬貨返却部１２３から返却される。
【００４７】
（補充）
補充は、釣銭用の紙幣および硬貨を紙幣カセットおよび出金ホッパ１２５に補充するための処理である。例えば、メニュー画面４０において操作者により「０４：補充」ボタンが選択されると、制御部１５０は、紙幣投入口１０１および硬貨投入口１１７のシャッタを開放し、紙幣および硬貨の投入を誘導する入金誘導画面を操作表示部１３３に表示させる。そして、紙幣投入口１０１および硬貨投入口１１７に紙幣および硬貨が投入されると、制御部１５０は、投入された紙幣および硬貨を紙幣カセットおよび出金ホッパ１２５に収納するための制御を行う。
【００４８】
（抜取り）
抜取りは、現金精査のために、装置内の全ての紙幣および硬貨、または、入金過多で溢れそうになったリサイクルカセットの紙幣または硬貨を出金するための処理である。例えば、メニュー画面４０において操作者により「０５：抜取り」ボタンが選択されると、制御部１５０は、装置内の全ての紙幣および硬貨、または、一部の現金を、紙幣投入口１０１または硬貨出金箱１２９に搬送する。
【００４９】
（精算集計）
精算集計は、それまでの出金および入金取引を集計し、売上額（入金合計−出金合計）を算出する処理である。例えば、メニュー画面４０において操作者により「０６：精算集計」ボタンが選択されると、制御部１５０は、売上額と既に回収カセット１１３に収納した紙幣額との差分を売上移動金額として算出する。そして、制御部１５０は、高額券の紙幣を優先して紙幣カセットから回収カセット１１３に移動させ、出金ホッパ１２５から硬貨を硬貨回収庫１２７に移動させ、売上金を作成するための制御を行う。
【００５０】
（売上回収）
売上回収は、操作者による売上金の回収を可能とするための処理である。例えば、メニュー画面４０において操作者により「０７：売上回収」ボタンが選択されると、制御部１５０は、現金処理装置１の扉を解錠し、回収カセット１１３の脱着誘導を操作表示部１３３に表示させる。回収カセット１１３が脱着され、空の回収カセット１１３がセットされると、処理が完了する。
【００５１】
売上回収の方法には、店舗のオペレータが売上金を回収する「店舗運用」、および警備会社の警送隊員が売上金を回収する「警送運用」がある。
【００５２】
「店舗運用」では、店舗のオペレータは、現金処理装置１から回収カセット（硬貨回収庫１２７および回収カセット１１３）を取り出し、当該回収カセットから現金を抜取り、当該回収カセットを現金処理装置１に再セットする。オペレータは、回収カセットから抜き取った現金を売上金として金融機関等に入金する。
【００５３】
「警送運用」では、警送隊員は、現金処理装置１から回収カセットを取り出し、警送隊員が持ち込んだ空の回収カセットを現金処理装置１にセットする。警送隊員は、現金処理装置１から取り出された回収カセットを警備会社の現金センター等に持ち帰り、警備会社が、当該回収カセットに収納されている現金を売上金として金融機関などに入金する。
【００５４】
（精査）
精査は、現金処理装置１内の有高を集計するための処理である。例えば、メニュー画面４０において操作者により「０８：精査」ボタンが選択されると、制御部１５０は、現金処理装置１の紙幣扉および硬貨扉を解錠し、紙幣カセットからの紙幣の取り出し、および出金ホッパ１２５からの硬貨の取り出しを誘導する画面を操作表示部１３３に表示させる。その後、操作者により紙幣および硬貨の取り出しが行われ、現金処理装置１の紙幣扉および硬貨扉が閉められると、制御部１５０は、紙幣および硬貨の投入を誘導する画面を操作表示部１３３に表示させる。
【００５５】
その後、制御部１５０は、紙幣投入口１０１および硬貨投入口１１７から投入された紙幣および硬貨を計数する。ここで、紙幣鑑別部１０５により正常と判断された紙幣は紙幣一時保留部１０３に集積され、硬貨鑑別部１１９により正常と判断された硬貨は硬貨一時保留部１２１に集積される。また、紙幣鑑別部１０５によりリジェクトされた紙幣は紙幣投入口１０１から返却され、硬貨鑑別部１１９によりリジェクトされた硬貨は硬貨返却部１２３から返却される。
【００５６】
さらに、制御部１５０は、計数により得られた合計金額を操作表示部１３３に表示させる。そして、操作者により合計金額の確認操作が行われると、紙幣一時保留部１０３から紙幣カセットに紙幣が搬送され、紙幣カセットが当該紙幣を収納する。同様に、硬貨一時保留部１２１から出金ホッパ１２５に硬貨が搬送され、出金ホッパ１２５が当該硬貨を収納する。
【００５７】
＜３．課題の整理＞
本発明の実施形態は、上述した処理のうち、特に「警送運用」での売上回収に関する。そこで、以下では、本発明の実施形態の詳細な説明に先立ち、「警送運用」での売上回収の比較例、および比較例での課題を明らかにする。
【００５８】
図３は、比較例による売上回収の動作を示すフローチャートである。図３に示したように、まず、比較例による制御部（以下、単に制御部）が操作表示部１３３に待機画面を表示させ（Ｓ８０４）、レジカードやＩＤカードによる認証が成功すると（Ｓ８０８／Ｙｅｓ）、操作者が所望の処理を選択するためのメニュー画面を操作表示部１３３に表示させる（Ｓ８１２）。メニュー画面において売上回収以外の処理が選択されると（Ｓ８１６／Ｎｏ）、制御部は、選択された処理の実行を制御する。一方、メニュー画面において売上回収が選択されると、（Ｓ８１６／Ｙｅｓ）、制御部は、Ｓ８２０以降に示す売上回収を制御する。
【００５９】
すなわち、制御部は、硬貨扉のロックを解除し、硬貨扉の開放を誘導する硬貨扉開誘導画面を操作表示部１３３に表示させ（Ｓ８２０）、硬貨扉が開かれると、硬貨回収庫１２７の交換誘導画面を操作表示部１３３に表示させる（Ｓ８２４）。そして、硬貨回収庫１２７が交換されると、制御部は、硬貨扉の閉鎖を誘導する硬貨扉閉誘導画面を操作表示部１３３に表示させる（Ｓ８３２）。
【００６０】
続いて、制御部は、紙幣扉のロックを解除し、紙幣扉の開放を誘導する紙幣扉開誘導画面を操作表示部１３３に表示させ（Ｓ８３６）、紙幣扉が開かれると、回収カセット１１３の交換誘導画面を操作表示部１３３に表示させる（Ｓ８４０）。そして、回収カセット１１３が交換されると、制御部は、紙幣扉の閉鎖を誘導する紙幣扉閉誘導画面を操作表示部１３３に表示させる（Ｓ８４４）。
【００６１】
その後、制御部は、交換後の回収カセット１１３の動作確認を実行し（Ｓ８４８）、交換後の回収カセット１１３の正常動作、および交換後の回収カセット１１３および硬貨回収庫１２７の空状態が確認されると（Ｓ８５２／Ｙｅｓ）、レシートプリンタ１３５が回収内容を示すレシートを排出し、制御部が回収カセット１１３の有高を更新し（Ｓ８５６）、待機画面が表示される（Ｓ８６０）。一方、交換後の回収カセット１１３の正常動作、または交換後の回収カセット１１３および硬貨回収庫１２７の空状態が確認されない場合（Ｓ８５２／Ｎｏ）、制御部は操作表示部１３３に障害画面を表示させる（Ｓ８６４）。
【００６２】
このように、交換後の回収カセット１１３の正常動作、または交換後の回収カセット１１３および硬貨回収庫１２７の空状態が確認されない場合（Ｓ８５２／Ｎｏ）、回収カセット１１３および硬貨回収庫１２７の有高は更新されない。ここで、警送隊員が障害の発生に気付き、回収カセット１１３または硬貨回収庫１２７を予備と交換すれば、売上回収は正常に終了する。
【００６３】
しかし、警送隊員が障害の発生に気付かない場合、または、警送隊員が障害の発生に気付いても、予備の回収カセット１１３または硬貨回収庫１２７が無く、時間的な制約から保守員の来店を待つことも難しいために、警送隊員が次の店舗に行ってしまう場合がある。この場合、現金処理装置から売上金が回収されたことになっていないため、現金処理装置の有高は更新されていない。結果、次回の売上回収の実行時に、レシートの売上金額と回収金額に不一致（違算）が生じてしまう。
【００６４】
本件発明者は、上記事情を一着眼点にして、本発明の実施形態を創作するに至った。本発明の実施形態によれば、売上回収に起因する有高と実際の現金の不一致の発生を抑制することが可能である。以下、このような本発明の実施形態による現金処理装置１の幾つかの動作例を順次詳細に説明する。
【００６５】
＜４．動作例＞
本発明の実施形態による現金処理装置１は、「店舗運用」での売上回収と、「警送運用」での売上回収とでは、異なるタイミングで有高の更新およびレシートの印刷を行う。「店舗運用」での売上回収では、例えば、図３を参照して説明した比較例のように、交換後の回収カセット１１３の正常動作、および交換後の回収カセット１１３および硬貨回収庫１２７の空状態が確認された場合に、有高の更新およびレシートの印刷が行われてもよい。一方、「警送運用」での売上回収では、以下に説明する第１〜第４の動作のように、回収カセット１１３が現金処理装置１から外された後、交換後の回収カセット１１３の正常動作が確認されることを待たずに、有高の更新およびレシートの印刷が行われ得る。
【００６６】
（４−１．第１の動作例）
図４は、第１の動作例による売上回収の動作を示すフローチャートである。図４に示したように、制御部１５０は、硬貨扉のロックを解除し、硬貨扉の開放を誘導する硬貨扉開誘導画面を操作表示部１３３に表示させ（Ｓ２２０）、硬貨扉が開かれると、硬貨回収庫１２７の交換誘導画面を操作表示部１３３に表示させる（Ｓ２２４）。そして、硬貨回収庫１２７が交換されると、制御部１５０は、硬貨扉の閉鎖を誘導する硬貨扉閉誘導画面を操作表示部１３３に表示させる（Ｓ２３２）。
【００６７】
続いて、制御部１５０は、紙幣扉のロックを解除し、紙幣扉の開放を誘導する紙幣扉開誘導画面を操作表示部１３３に表示させ（Ｓ２３６）、紙幣扉が開かれると、回収カセット１１３の交換誘導画面を操作表示部１３３に表示させる（Ｓ２４０）。そして、回収カセット１１３が現金処理装置１から取り出され、回収カセット１１３が現金処理装置１から外れたことが検知されると（Ｓ２４２／Ｙｅｓ）、制御部１５０は、レシートプリンタ１３５に回収処理の内容を示す回収情報をレシートに印刷（出力）させ、現金処理装置１の有高の一部である回収カセット１１３の有高を「０」に更新する（Ｓ２４３）。なお、レシートには、図５に示すように、現金処理装置１のＩＤ、取引通番、回収金額、および回収された現金の金種別枚数が印刷される。
【００６８】
その後、制御部１５０は、紙幣扉の閉鎖を誘導する紙幣扉閉誘導画面を操作表示部１３３に表示させ（Ｓ２４４）、交換後の回収カセット１１３の動作確認を実行する（Ｓ２４８）。交換後の回収カセット１１３の正常動作、および交換後の回収カセット１１３および硬貨回収庫１２７の空状態が確認されると（Ｓ２５２／Ｙｅｓ）、制御部１５０は、操作表示部１３３に待機画面を表示させる（Ｓ２６０）。一方、交換後の回収カセット１１３の正常動作、および交換後の回収カセット１１３および硬貨回収庫１２７の空状態が確認されない場合（Ｓ２５２／Ｎｏ）、制御部１５０は操作表示部１３３に障害画面を表示させる（Ｓ２６４）。
【００６９】
なお、硬貨回収庫１２７の空状態は、硬貨回収庫１２７に設けられたセンサが透光しているか否かにより判断され、回収カセット１１３の空状態は繰出し動作により判断されてもよい。
【００７０】
以上説明したように、第１の動作例では、硬貨回収庫１２７および回収カセット１１３が現金処理装置１から取り出されたことに基づいて、有高の更新およびレシートの印刷（回収の成立）が行われる。このため、その後の動作確認において障害が発生しても、回収が成立しているので、警送隊員は保守員による障害の復旧を待たずに次の店舗へ行くことができる。すなわち、警送隊員は保守員による障害の復旧を待たずに次の店舗へ行っても、次回の売上回収の実行時における違算発生を防止することが可能である。なお、「警送運用」では硬貨回収庫１２７および回収カセット１１３が空の硬貨回収庫１２７および回収カセット１１３に交換されるので、「店舗運用」で発生し得る、現金の取り残しに起因する空でない硬貨回収庫１２７および回収カセット１１３のセットは発生し難い。このため、「警送運用」においては、上述したように交換後の硬貨回収庫１２７および回収カセット１１３の空状態の確認を待たずに回収を成立させることが可能である。
【００７１】
（４−２．第２の動作例）
図６は、第２の動作例による売上回収の動作を示すフローチャートである。図６に示したように、制御部１５０は、硬貨扉のロックを解除し、硬貨扉の開放を誘導する硬貨扉開誘導画面を操作表示部１３３に表示させ（Ｓ２２０）、硬貨扉が開かれると、硬貨回収庫１２７の交換誘導画面を操作表示部１３３に表示させる（Ｓ２２４）。そして、硬貨回収庫１２７が交換されると、制御部１５０は、硬貨扉の閉鎖を誘導する硬貨扉閉誘導画面を操作表示部１３３に表示させる（Ｓ２３２）。
【００７２】
続いて、制御部１５０は、紙幣扉のロックを解除し、紙幣扉の開放を誘導する紙幣扉開誘導画面を操作表示部１３３に表示させ（Ｓ２３６）、紙幣扉が開かれると、回収カセット１１３の交換誘導画面を操作表示部１３３に表示させる（Ｓ２４０）。そして、回収カセット１１３が交換されると、制御部１５０は、紙幣扉の閉鎖を誘導する紙幣扉閉誘導画面を操作表示部１３３に表示させる（Ｓ２４４）。
【００７３】
そして、紙幣扉が閉められたことが検知されると（Ｓ２４６／Ｙｅｓ）、制御部１５０は、レシートプリンタ１３５に回収情報をレシートに印刷させ、現金処理装置１の有高を更新する（Ｓ２４７）。
【００７４】
その後、制御部１５０は、交換後の回収カセット１１３の動作確認を実行する（Ｓ２４８）。交換後の回収カセット１１３の正常動作、および交換後の回収カセット１１３および硬貨回収庫１２７の空状態が確認されると（Ｓ２５２／Ｙｅｓ）、制御部１５０は、操作表示部１３３に待機画面を表示させる（Ｓ２６０）。一方、交換後の回収カセット１１３の正常動作、および交換後の回収カセット１１３および硬貨回収庫１２７の空状態が確認されない場合（Ｓ２５２／Ｎｏ）、制御部１５０は操作表示部１３３に障害画面を表示させる（Ｓ２６４）。
【００７５】
以上説明したように、第２の動作例では、紙幣扉が閉められたことに基づいて、有高の更新およびレシートの印刷（回収の成立）が行われる。第１の動作例では、硬貨回収庫１２７および回収カセット１１３が現金処理装置１から取り出されたことに基づいて回収が成立するので、警送隊員がうっかり紙幣扉を開けたままの状態で店を出てしまうことが起こり得る。現金処理装置１は、店舗のバックヤードに設置されることが多いが、紙幣扉が開いていると、バックヤードに入り込んだ外部の人間または管理権限の無い人間が現金を現金処理装置１から抜き取ってしまうことが懸念される。これに対し、第２の動作例では紙幣扉が閉められたことに基づいて回収が成立するので、警送隊員が紙幣扉を開けたままの状態で店を出てしまうことを防止し、結果、現金処理装置１から現金を抜き取る犯罪も防止することが可能である。
【００７６】
（４−３．第３の動作例）
図７は、第３の動作例による売上回収の動作を示すフローチャートである。図７に示したように、制御部１５０は、硬貨扉のロックを解除し、硬貨扉の開放を誘導する硬貨扉開誘導画面を操作表示部１３３に表示させ（Ｓ２２０）、硬貨扉が開かれると、硬貨回収庫１２７の交換誘導画面を操作表示部１３３に表示させる（Ｓ２２４）。そして、硬貨回収庫１２７が交換されると、制御部１５０は、硬貨扉の閉鎖を誘導する硬貨扉閉誘導画面を操作表示部１３３に表示させる（Ｓ２３２）。
【００７７】
続いて、制御部１５０は、紙幣扉のロックを解除し、紙幣扉の開放を誘導する紙幣扉開誘導画面を操作表示部１３３に表示させ（Ｓ２３６）、紙幣扉が開かれると、回収カセット１１３の交換誘導画面を操作表示部１３３に表示させる（Ｓ２４０）。そして、回収カセット１１３が交換されると、制御部１５０は、紙幣扉の閉鎖を誘導する紙幣扉閉誘導画面を操作表示部１３３に表示させる（Ｓ２４４）。
【００７８】
その後、制御部１５０は、交換後の回収カセット１１３の動作確認を実行する（Ｓ２４８）。交換後の回収カセット１１３の正常動作、および交換後の回収カセット１１３および硬貨回収庫１２７の空状態が確認されると（Ｓ２５２／Ｙｅｓ）、制御部１５０は、レシートプリンタ１３５に回収情報をレシートに印刷させ、現金処理装置１の有高を更新し（Ｓ２５４）、操作表示部１３３に待機画面を表示させる（Ｓ２６０）。
【００７９】
一方、交換後の回収カセット１１３の正常動作、および交換後の回収カセット１１３および硬貨回収庫１２７の空状態が確認されなくても（Ｓ２５２／Ｎｏ）、交換後の回収カセット１１３および硬貨回収庫１２７の空状態が確認された場合には（Ｓ２５６／Ｙｅｓ）、制御部１５０は、レシートプリンタ１３５に回収内容を示すレシートを印刷させ、現金処理装置１の有高を更新する（Ｓ２５８）。交換後の回収カセット１１３および硬貨回収庫１２７の空状態が確認されない場合（Ｓ２５６／Ｎｏ）、またはＳ２５８の処理の後、制御部１５０は操作表示部１３３に障害画面を表示させる（Ｓ２６４）。
【００８０】
以上説明したように、第３の動作例では、交換後の回収カセット１１３および硬貨回収庫１２７の空状態が確認されたことに基づいて、有高の更新およびレシートの印刷（回収の成立）が行われる。上述したように、「警送運用」では、基本的には空で無い回収カセット１１３および硬貨回収庫１２７がセットされることは発生し難いが、抜き取られた回収カセット１１３および硬貨回収庫１２７がそのまま現金処理装置１に再度セットされることも起こり得る。第３の動作例では、このように空でない回収カセット１１３および硬貨回収庫１２７がセットされることを防止し、結果、次回の売上回収の実行時における違算発生を防止することが可能である。
【００８１】
（４−４．第４の動作例）
図８は、第４の動作例による売上回収の動作を示すフローチャートである。第４の動作例は、図７を参照して説明した第３の動作例とＳ２４４の処理までは共通するので、図８においては、Ｓ２４８以降の処理を示している。
【００８２】
紙幣扉が閉められた後、制御部１５０は、交換後の回収カセット１１３の動作確認を実行する（Ｓ２４８）。交換後の回収カセット１１３の正常動作が確認され（Ｓ３０４／Ｙｅｓ）、かつ、交換後の回収カセット１１３および硬貨回収庫１２７の空状態が確認されると（Ｓ３０８／Ｙｅｓ）、制御部１５０は、レシートプリンタ１３５に回収内容を示すレシートを印刷させ、現金処理装置１の有高を更新し（Ｓ３１２）、操作表示部１３３に待機画面を表示させる（Ｓ３１６）。Ｓ３０８において交換後の回収カセット１１３または硬貨回収庫１２７の空状態が確認されなかった場合（Ｓ３０８／Ｎｏ）、制御部１５０は操作表示部１３３に障害画面を表示させる（Ｓ３４４）。
【００８３】
一方、交換後の回収カセット１１３の正常動作が確認されなかった場合（Ｓ３０４／Ｎｏ）、復旧操作回数が所定回数に達していなければ（Ｓ３２０／Ｎｏ）、制御部１５０は操作表示部１３３に障害画面を表示させる（Ｓ３２４）。障害画面は、図９に示したように、障害の除去を誘導するメッセージ、および復旧ボタン５０を含む。警送隊員が、障害を除去する操作を行った後に復旧ボタン５０を選択する復旧操作を行うと（Ｓ３２８）、制御部１５０は、交換後の回収カセット１１３の動作確認を再度実行し（Ｓ３３２）、Ｓ３０４からの処理が繰り返される。
【００８４】
復旧操作回数が所定回数に達して（Ｓ３２０／Ｙｅｓ）、かつ、交換後の回収カセット１１３および硬貨回収庫１２７の空状態が確認された場合（Ｓ３３６／Ｙｅｓ）、制御部１５０は、レシートプリンタ１３５に回収情報をレシートに印刷させ、現金処理装置１の有高を更新し（Ｓ３４０）、操作表示部１３３に障害画面を表示させる（Ｓ３４４）。
【００８５】
以上説明したように、第４の動作例では、紙幣扉が閉められた後の動作確認で障害が発生した場合、復旧操作を所定回数に渡って行っても障害が復旧しなければ、回収カセット１１３および硬貨回収庫１２７の空状態が確認されていることを条件に、有高の更新およびレシートの印刷（回収の成立）が行われる。第３の動作例では、障害が発生しても回収カセット１１３および硬貨回収庫１２７の空状態が確認されれば回収が成立するので、障害が発生したまま警送隊員が店を出てしまうことが生じ得る。障害は一時的な故障である可能性があり、また、障害の無い状態で現金処理装置１が店舗側に引き渡されることが望ましい。第４の動作例によれば、障害の発生している状態で現金処理装置１が店舗側に引き渡されてしまうケースを抑制することが可能である。
【００８６】
＜５．むすび＞
以上説明したように、本発明の実施形態によれば、「警送運用」での売上回収における有高の更新およびレシートの印刷のタイミングの適切な設定により、次回の売上回収における違算発生を防止することが可能である。
【００８７】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８８】
例えば、本明細書の現金処理装置１の処理における各ステップは、必ずしもフローチャートとして記載された順序に沿って時系列に処理する必要はない。例えば、現金処理装置１の処理における各ステップは、フローチャートとして記載した順序と異なる順序で処理されても、並列的に処理されてもよい。
【００８９】
また、現金処理装置１に内蔵されるＣＰＵ、ＲＯＭおよびＲＡＭなどのハードウェアに、上述した現金処理装置１の各構成と同等の機能を発揮させるためのコンピュータプログラムも作成可能である。また、該コンピュータプログラムを記憶させた記憶媒体も提供される。
【符号の説明】
【００９０】
１  現金処理装置
１０１  紙幣投入口
１０３  紙幣一時保留部
１０５  紙幣鑑別部
１０７  万券カセット
１０９  五千券カセット
１１１  千券カセット
１１３  回収カセット
１１５  リジェクト部
１１７  硬貨投入口
１１９  硬貨鑑別部
１２１  硬貨一時保留部
１２３  硬貨返却部
１２５  出金ホッパ
１２７  硬貨回収庫
１２９  硬貨出金箱
１３１  カードリーダ部
１３３  操作表示部
１３５  レシートプリンタ
１５０  制御部
１６０  記憶部
【図１】
2018180782.tif 000003
【図２】
2018180782.tif 000004
【図３】
2018180782.tif 000005
【図４】
2018180782.tif 000006
【図５】
2018180782.tif 000007
【図６】
2018180782.tif 000008
【図７】
2018180782.tif 000009
【図８】
2018180782.tif 000010
【図９】
2018180782.tif 000011